(57)【要約】【課題】簡単な構造で部位別のどの位置にも適用可能なパイプ型可変ベントホールを有するサイドエアーバックを提供する。【解決手段】本発明は、シートの一側に設けられて、上部にベントホールが形成されたサイドエアーバッククッションと、前記ベントホールに設けられて乗客の肩により前記ベントホールが塞がり、あるいは、開くことにより、前記サイドエアーバッククッションの圧力を調節するガス調節部材と、を含み、前記ベントホールは、体躯が大きい乗客の肩と対向すると共に、体躯が小さな乗客の肩の上と対向する位置に形成され、前記ガス調節部材は、前記エアーバッククッションのうち、前記ベントホールの上部に固定される上部固定部と、ガスを案内するガス案内部と、前記エアーバッククッションのうち、前記ベントホールの下部に固定される下部固定部と、を含むことを特徴とする。【選択図】図２
2009046110.tif 000002
【特許請求の範囲】
【請求項１】
シートの一側に設けられて、上部にベントホールが形成されたサイドエアーバッククッションと、
前記ベントホールに設けられて乗客の肩により前記ベントホールが塞がり、あるいは、開くことにより、前記サイドエアーバッククッションの圧力を調節するガス調節部材と、
を含むことを特徴とするパイプ型可変ベントホールを有するサイドエアーバック。
【請求項２】
前記ベントホールは、体躯が大きい乗客の肩と対向すると共に、体躯が小さな乗客の肩の上と対向する位置に形成されたことを特徴とする請求項１記載のパイプ型可変ベントホールを有するサイドエアーバック。
【請求項３】
前記ガス調節部材は、前記エアーバッククッションのうち、前記ベントホールの上部に固定される上部固定部と、
ガスを案内するガス案内部と、
前記エアーバッククッションのうち、前記ベントホールの下部に固定される下部固定部と、
を含むことを特徴とする請求項１記載のパイプ型可変ベントホールを有するサイドエアーバック。
【請求項４】
前記上部固定部と前記下部固定部は、前記エアーバッククッションの内側面に密着するように固定されることを特徴とする請求項３記載のパイプ型可変ベントホールを有するサイドエアーバック。
【請求項５】
前記ガス案内部は、ガスが乗客に向けて排出されないように塞ぐ遮蔽部と、
前記遮蔽部から前方に突出した前方案内部と、
前記遮蔽部から後方に突出した後方案内部と、
を含むことを特徴とする請求項３記載のパイプ型可変ベントホールを有するサイドエアーバック。
【請求項６】
前記ガス調節部材は、折畳みや広げが容易な織物（fabric）材質であることを特徴とする請求項１記載のパイプ型可変ベントホールを有するサイドエアーバック。
【請求項７】
前記ガス調節部材は、前記エアーバッククッションに裁縫方式により固定されることを特徴とする請求項１記載のパイプ型可変ベントホールを有するサイドエアーバック。
【請求項８】
前記ガス調節部材は、十字形状であることを特徴とする請求項１記載のパイプ型可変ベントホールを有するサイドエアーバック。
【請求項９】
前記ガス調節部材は、折畳や広げる際のフォールディング部が形成されることを特徴とする請求項１記載のパイプ型可変ベントホールを有するサイドエアーバック。
【請求項１０】
前記フォールディング部は、複数個の水平フォールディングラインを有することを特徴とする請求項９記載のパイプ型可変ベントホールを有するサイドエアーバック。
【発明の詳細な説明】
【技術分野】
【０００１】
本発明は、パイプ型可変ベントホールを有するサイドエアーバックに係り、さらに詳しくは、乗客の体躯によって乗客の肩に対向してベントホールが塞がり、あるいは、開くことによって、ガスの外部流出量を調節し、体躯が大きい乗客は高い圧力で、体躯が小さな乗客は低い圧力で保護されるパイプ型可変ベントホールを有するサイドエアーバックに関する。
【背景技術】
【０００２】
一般に、車両には車両の衝突事故発生時に外部の衝撃から乗客を保護できるように各種エアーバック装置が設けられている。その中で、サイドエアーバック装置は、車両のシートの内部に装着されて車両の衝突事故発生時に乗客の側部に該当する頭、肩、胸、及び臀部を外部の衝撃から保護する役割をする。
図１は、従来技術に係るサイドエアーバック装置の一例を示す断面図である。
【０００３】
従来のサイドエアーバック装置は、図１に示すような形状のエアーバック本体６、インプレータ４、及びディヒューザ５から構成される。エアーバック本体６は、分離壁２によりヘッドチャンバー３とボディー１に区分されている。車両が衝突してガスが供給されれば、まずボディー１にガスが充填され、乗客がボディー１にぶつかれば、分離壁２に形成された通孔２’を通じてヘッドチャンバー３が膨脹するので、乗客の頭部を保護する役割をする。
【０００４】
しかしながら、上記のようなサイドエアーバックのヘッドチャンバー３は、乗客の体躯に拘わらず、予め決まったサイズの通り一定容積に膨脹するため、子供の如く体躯が小さな乗客の場合には高圧で膨脹したヘッドチャンバー３が乗客の頭部を強打して乗客に傷害を加える問題点があった。
【特許文献１】特開２００７−２９０７００号公報
【特許文献２】特開平１１−１２９８５４号公報
【発明の開示】
【発明が解決しようとする課題】
【０００５】
本発明は、前述した従来技術の問題点を解決するためになされたもので、簡単な構造で部位別のどの位置にも適用可能であり、エアーバッククッションと乗客の接触により可変ベントホールの開閉調節が可能で、乗客のサイズに従い上記エアーバッククッションの内部圧力を調節して、体躯が大きい乗客の場合は高い圧力で、体躯が小さな乗客の場合は低い圧力で保護できるように構成されたパイプ型可変ベントホールを有するサイドエアーバックの提供を目的とする。
【課題を解決するための手段】
【０００６】
上記課題を解決するため、本発明のパイプ型可変ベントホールを有するサイドエアーバックは、シートの一側に設けられて、上部にベントホールが形成されたサイドエアーバッククッションと、前記ベントホールに設けられて乗客の肩により前記ベントホールが塞がり、あるいは、開くことにより、前記サイドエアーバッククッションの圧力を調節するガス調節部材と、を含むことを特徴とする。
【０００７】
前記ベントホールは、体躯が大きい乗客の肩と対向すると共に、体躯が小さな乗客の肩の上と対向する位置に形成されたことを特徴とする。
【０００８】
前記ガス調節部材は、前記エアーバッククッションのうち、前記ベントホールの上部に固定される上部固定部と、ガスを案内するガス案内部と、前記エアーバッククッションのうち、前記ベントホールの下部に固定される下部固定部と、を含むことを特徴とする。
【０００９】
前記上部固定部と前記下部固定部は、前記エアーバッククッションの内側面に密着するように固定され、前記ガス案内部は、ガスが乗客に向けて排出されないように塞ぐ遮蔽部と、前記遮蔽部から前方に突出した前方案内部と、前記遮蔽部から後方に突出した後方案内部と、を含むことを特徴とする。
【００１０】
前記ガス調節部材は、折畳みや広げが容易な織物（fabric）材質で、前記エアーバッククッションに裁縫方式により固定され、十字形状であることを特徴とする。
【００１１】
また、前記ガス調節部材は、折畳や広げる際のフォールディング部が形成され、前記フォールディング部は、複数個の水平フォールディングラインを有することを特徴とする。
【発明の効果】
【００１２】
本発明のパイプ型可変ベントホールを有するサイドエアーバックは、次のような効果を有する。
乗客の体躯によってベントホールが開閉されてサイドエアーバックの内部圧力を調節することにより、乗客の傷害を減らすことができ、簡単な構造でエアーバッククッションの部位別のどの位置にも適用可能であり、ベントホールのサイズの調節が容易である。
また、織物材質からなっており、乗客の肩部位に接触する簡単な動作によりガスの外部流出を確実に遮断できることは勿論、ガスの噴出方向が乗客に影響を及ぼさない。
【発明を実施するための最良の形態】
【００１３】
以下、本発明のパイプ型可変ベントホールを有するサイドエアーバックの実施形態を添付した図面を参照して詳細に説明する。
【実施例】
【００１４】
図２は本発明のサイドエアーバックを示す概略図であり、図３（ａ）は本発明のサイドエアーバックのガス展開前のガス調節部材を示す正面図であり、図３（ｂ）は、展開前のガス調節部材を示す（ａ）のＡ−Ａ線切断面図であり、図４（ａ）はサイドエアーバックのガス展開後のガス調節部材を示す正面図であり、図４（ｂ）は、ガス展開後のガス調節部材を示す（ａ）のＡ−Ａ線切断面図である。
【００１５】
本発明のパイプ型可変ベントホールを有するサイドエアーバックは、図２及び図４（ａ）に示すように、四角ベントホール１１を上部に持っているエアーバッククッション１０と、乗客の体躯によって身体の一部によりベントホール１１を開閉してサイドエアーバッククッション１０の内部の圧力を調節する十字形ガス調節部材１２を含んで構成される。
十字形ガス調節部材１２は、四角ベントホール１１が遮蔽されるように、四角ベントホール１１のサイズに合せて折畳まれ、図３における上下部がエアーバッククッション１０に裁縫して固定される。
【００１６】
本発明の好ましい一実施形態では、四角ベントホール１１の形状を図面上に四角形に限定しているが、必ずこれに限定されるものではなく、エアーバッククッション１０の内部に充填されたガスの一部を外部に排出させる機能を遂行するものであれば、その形状は如何なる形状が採用されても本発明の権利範囲に含まれることは当然である。
四角ベントホール１１は、エアーバッククッション１０が完全に膨脹した状態を考慮して、概して体躯が大きい乗客の肩部位が四角ベントホール１１に接触する位置のエアーバッククッション１０に形成されることが好ましい。
【００１７】
一方、ガス調節部材１２は、四角ベントホール１１が形成されたエアーバッククッション１０の内部に折畳まれた状態で裁縫方式により固定される。
ガス調節部材１２は、車両の衝突事故発生に対応して、エアーバッククッション１０の展開時に体躯が大きい乗客の肩部位が四角ベントホール１１に接触することで、外部に抜け出ず、この際、四角ベントホール１１がガス調節部材１２により塞がることにより、エアーバッククッション１０の内部圧力が高い状態に維持される。
【００１８】
一方、体躯が小さな乗客の場合には、乗客の肩部位がベントホール１１を塞げないので、ガス調節部材１２がエアーバッククッション１０の内部圧力に負けて外部に抜け出ることになり、外部に抜け出た上記ガス調節部材を通じてガスが噴出してエアーバッククッション１０の内部圧力が低くなる。
このように、本発明の一実施形態では、車両の衝突事故が発生すると、車両に搭乗した乗客の体躯が大きい場合には、ガス調節部材１２によりエアーバッククッション１０が高圧である状態で乗客を保護する一方、乗客の体躯が小さな場合にはガス調節部材１２によりエアーバッククッション１０が低圧状態で保護するので、乗客保護効果がより向上する利点がある。
【００１９】
以下に、ガス調節部材１２の形状及び構造と機能をより詳細に説明する。
まず、図３（ａ）及び図４（ａ）に示すように、ガス調節部材１２は、エアーバッククッション１０のうち、ベントホール１１の上部に固定される上部固定部１３ａと、ガスを案内するガス案内部１４と、エアーバッククッション１０のうち、ベントホール１１の下部に固定される下部固定部１３ａとを含んで構成され、上部固定部１３ａと下部固定部１３ｂは、エアーバッククッション１０の内側面に密着するように固定される。
【００２０】
一方、ガス案内部１４は、エアーバッククッション１０の展開時、エアーバッククッション１０の内部圧力に従って外部に抜け出る際、乗客の被害を防ぐためガスが乗客に向けて排出しないように塞ぐ遮蔽部１４ｃと、遮蔽部１４ｃから前方に突出してガスを案内する前方案内部１４ａと、遮蔽部１４ｃから後方に突出してガスを案内する後方案内部１４ｂとから構成される。
ここで、説明の便宜のため、遮蔽部１４ｃの一側を“前方”案内部１４ａに、他側を“後方”案内部１４ｂとしたが、展開された状態のガス調節部材１２の形状が全体的にエアーバッククッション１０の外部に密着し、両側が開口されたパイプ形状を有する場合であれば、本発明の権利範囲に含まれることは当然である。
【００２１】
このように、ガス調節部材１２は、全体的に十字形状で形成され、かつ、中間部分に該当するガス案内部１４がエアーバッククッション１０の展開前のエアーバッククッション１０の内側面に折畳まれた状態で固定され、図３（ａ）に示すようなフォールディング部１５が形成される。このようなフォールディング部１５には複数個の水平フォールディングラインが形成される。
また、ガス調節部材１２は、前述したように、折畳や広げが容易な織物材質で形成されることが好ましい。
符号１６は、ガス調節部材１２がエアーバッククッション１０の内側に裁縫方式により固定されることを示す裁縫ラインの例示である。
【００２２】
以下、本発明のパイプ型可変ベントホールを有するサイドエアーバックの動作過程を説明する。
まず、車両の衝突事故発生時、エアーバッククッション１０が展開され、乗客の側面に接触する。
その時、ガス調節部材１２は、車両に搭乗した乗客の体躯のサイズに従い、エアーバッククッション１０の外部に抜け出る場合と、抜け出ない場合がある。
前者の場合、即ち、ガス調節部材１２がエアーバッククッション１０の外部に抜け出る場合は、体躯が大きい乗客がサイドエアーバッククッション１０に接触する時点以後に四角ベントホール１１が開くため、乗客の肩部位と接触する動作により塞がれば、ガス調節部材１２が外部に抜け出ることができず、ガス調節部材１２の前方案内部１４ａとガス調節部材１２の後方案内部１４ｂも上記エアーバッククッションにかかったままで、乗客の肩部位がベントホール１１を塞いでエアーバッククッション１０の内部圧力が高い状態に維持される。
【００２３】
体躯が大きい乗客の場合でも、前述したように、ガス調節部材１２が 必ずエアーバッククッション１０の外部に抜け出ないとは限らない。
即ち、体躯が大きい乗客の場合でも、乗客の肩部位が四角ベントホール１１に接触する前にエアーバッククッション１０の内部がガスの充填により高圧状態になって、ガス調節部材１２がエアーバッククッション１０の外部に抜け出ることがある。
この際、四角ベントホール１１が先に開くが、このような場合にもガス調節部材１２は織物で形成されるので、体躯が大きい乗客の肩部位に接触して容易に折畳まれ、四角ベントホール１１を塞ぐことにより、エアーバッククッション１０の内部を高圧に維持する。
【００２４】
一方、体躯が小さな乗客の場合には、乗客の肩部位がベントホール１１を塞げず開放させるので、ガス調節部材１２が外部に容易に抜け出ることになり、エアーバッククッション１０の内部に充填されたガスはパイプ型で展開されたガス調節部材１２の前方案内部１４ａと後方案内部１４ｂを通じて外部に排出され、エアーバッククッション１０の内部圧力は低くなる。
このように、本発明のパイプ型可変ベントホールを有するサイドエアーバックは、体躯が大きい乗客の場合には高圧の状態の上記エアーバッククッションで、体躯が小さな乗客の場合には低圧の状態の上記エアーバッククッションで保護することにより、乗客の安定性をより効率良く図ることができる。
【００２５】
即ち、本発明のパイプ型可変ベントホールを有するサイドエアーバックは、乗客の体躯によってサイドエアーバックのエアーバッククッションの内部圧力を調節して、乗客の傷害を減らすことができ、簡単な構造で部位別のどの位置にも適用可能であり、上記ベントホールのサイズを容易に調節して活用することができる。
【００２６】
以上、本発明の好ましい実施形態について説明したが、本発明は前記実施形態に限定されず、本発明の属する技術範囲を逸脱しない範囲での全ての変更が含まれる。
【図面の簡単な説明】
【００２７】
【図１】従来技術によるサイドエアーバックを示す断面図である。
【図２】本発明によるサイドエアーバックを示す概略図である。
【図３】（ａ）は、本発明のサイドエアーバックのガス展開前のガス調節部材を示す正面図であり、（ｂ）は、本発明のサイドエアーバックのガス展開前のガス調節部材を示す（ａ）のＡ−Ａ線切断面図である。
【図４】（ａ）は、本発明のサイドエアーバックのガス展開後のガス調節部材を示す正面図であり、（ｂ）は、本発明のサイドエアーバックのガス展開後のガス調節部材を示す（ａ）のＡ−Ａ線切断面図である。
【符号の説明】
【００２８】
１０    エアーバッククッション
１１    ベントホール
１２    ガス調節部材
１３    固定部
１３ａ    上部固定部
１３ｂ    下部固定部
１４    案内部
１４ａ    前方案内部
１４ｂ    後方案内部
１４ｃ    遮蔽部
１５    フォールディング部
１６    裁縫ライン
【図１】
2009046110.tif 000003
【図２】
2009046110.tif 000004
【図３】
2009046110.tif 000005
【図４】
2009046110.tif 000006